(57)【特許請求の範囲】
【請求項１】
ストリーミング送信可能な機器からのストリーミング信号を、基地局を介して受信する通信部と、
前記通信部を制御する制御部と、
前記ストリーミング信号を再生する再生部と、を有し、
前記制御部は、
前記ストリーミング信号の受信が再生途中で中断し一定時間の待機中に再度受信できたら、ユーザによる再開操作なしで前記ストリーミング信号の再生を再開し、
前記ストリーミング信号の受信が再生途中で中断し一定時間の待機中に再度受信できなかったら、ユーザによる再開操作に基づいて前記ストリーミング信号の再生の再開を行う
携帯電子機器。
【請求項２】
携帯電子機器の制御方法であって、
前記携帯電子機器が、
ストリーミング送信可能な機器からのストリーミング信号を、基地局を介して受信し、
前記ストリーミング信号の受信が再生途中で中断し一定時間の待機中に再度受信できたら、ユーザによる再開操作なしで前記ストリーミング信号の再生を再開し、
前記ストリーミング信号の受信が再生途中で中断し一定時間の待機中に再度受信できなかったら、ユーザによる再開操作に基づいて前記ストリーミング信号の再生の再開を行う
制御方法。
【発明の詳細な説明】
【技術分野】
【０００１】
本発明は携帯電話機、ＰＤＡ、携帯型ゲーム機、携帯用テレビ、携帯用ラジオ等の携帯電子機器に関する。また、当該携帯電子機器を使用した再生データ配信システムに関する。
【背景技術】
【０００２】
特許文献１には、記録再生機器と再生機器（携帯電子機器）とが、ネットワークを介して接続され、記録再生機器自身で再生される際に使用されるコンテンツリスト情報に含まれる再生補助データを再生機器にネットワークを介して送信するシステムが開示されている。
【先行技術文献】
【特許文献】
【０００３】
【特許文献１】特開２００６―２６２４３７号公報
【発明の概要】
【発明が解決しようとする課題】
【０００４】
しかしながら、特許文献１に記載のシステムは、携帯電子機器が無線接続されている通信システムにおいては、携帯電子機器の電波状況の悪化によりストリーミング画像が途中で切断された場合には、再接続後の途中再生（レジューム再生）が円滑にできない。
【０００５】
本発明の目的は、携帯電子機器が無線接続しているときに、携帯電子機器の電波状況によってストリーミング画像の再生が途中で中断してしまった場合であっても、再接続後の途中再生を円滑に行うことができる携帯電子機器及び再生データ配信システムを提供することである。
【課題を解決するための手段】
【０００６】
本発明の一形態に係る携帯電子機器は、ストリーミング送信可能な機器からのストリーミング信号を、基地局を介して受信する通信部と、前記通信部を制御する制御部と、前記ストリーミング信号を再生する再生部と、を有し、前記制御部は、前記ストリーミング信号の受信が再生途中で中断し一定時間の待機中に再度受信できたら、ユーザによる再開操作なしで前記ストリーミング信号の再生を再開し、前記ストリーミング信号の受信が再生途中で中断し一定時間の待機中に再度受信できなかったら、ユーザによる再開操作に基づいて前記ストリーミング信号の再生の再開を行う。
【００１１】
本発明の他形態に係る制御方法は、携帯電子機器の制御方法であって、前記携帯電子機器が、ストリーミング送信可能な機器からのストリーミング信号を、基地局を介して受信し、前記ストリーミング信号の受信が再生途中で中断し一定時間の待機中に再度受信できたら、ユーザによる再開操作なしで前記ストリーミング信号の再生を再開し、前記ストリーミング信号の受信が再生途中で中断し一定時間の待機中に再度受信できなかったら、ユーザによる再開操作に基づいて前記ストリーミング信号の再生の再開を行う。
【発明の効果】
【００１６】
本発明によると、携帯電子機器が無線接続しているときに、携帯電子機器の電波状況の悪化があってストリーミング画像の再生が途中で中断してしまった場合であっても、再接続後の途中再生を円滑に行うことができる携帯電子機器及び再生データ配信システムを提供することができる。
【図面の簡単な説明】
【００１７】
【図１】本発明の実施形態に係る通信システムを説明する説明図である。
【図２】図１の携帯電話機の信号処理系を示すブロック図である。
【図３】再生中断時に制御部９が作成して、記憶部１２に記憶させる内容の説明図である。
【図４】ストリーミング送信の中断が行われる場合の処理の説明図である。
【図５】ストリーミング再生を再開する処理の説明図である。
【図６】本発明の変形例の説明図である。
【発明を実施するための形態】
【００１８】
図１は、本発明の実施形態に係る通信システムを説明する説明図である。
【００１９】
図１のように、ネットワーク３に複数の有線再生機器４及び複数の基地局５が接続されている。
また、１つの基地局５の通信可能範囲には、複数の携帯電話機１が存在し得る。
なお、有線再生機器４とは、パーソナルコンピュータ（パソコン）、ビデオ録画機、テレビジョン等の通常有線で接続される電子機器、並びに、携帯電話機１、ＰＤＡ、携帯型ゲーム機、携帯用テレビ、携帯用ラジオ等の通常は無線によって接続されるものであってもその時点では有線接続されているものが含まれる。
また、基地局５と交信しているものであれば、携帯電話機１に限らずＰＤＡ、携帯型ゲーム機、携帯用テレビ、携帯用ラジオ等であってもよい。
また、無線通信方法は携帯電話機１による方法に限る必要はなく、現在及び将来において利用される無線通信方法を含む。
【００２０】
以上の様に、ネットワーク３は有線再生機器４及び基地局５を介した携帯電話機１が複数接続可能であるが、本件では、１人のユーザが有する、有線再生機器４の１つである記録再生機器２と携帯電話機１との間の通信を取り扱う。
そして、記録再生機器２及び携帯電話機１は、情報信号の発信及び受信の両方を行うことが可能である。
つまり、ストリーミング送信は記録再生機器２のみならず携帯電話機１からも可能であるが、本実施形態においては、記録再生機器２からストリーミング送信が行われ、携帯電話機１がこれを受信してその表示部８において画像等の情報が実際に表示される場合を、一例として想定している。
また、ストリーミング送信されるデータは、映画、テレビジョン放送等の動画を想定しているが、これに限るものではなく、音楽、静止画、プログラム、メール等のものであってもよい。
つまり、記録再生機器２が再生・記録することが可能であればどのようなものであってもよい。
以上のストリーミング送信されるデータを総称する概念として、以下「再生データ」という。
また、以下の説明においては、簡略化のために動画情報に限って説明するが、当然、動画以外にも適用可能である。
【００２１】
また、記録再生機器２は、前もって記録しておいた、テレビジョン放送の録画データ、ＤＶＤの録画データ等に代表される録画再生データを送信する。
さらに、記録再生機器２は、ストリーミング送信している最中に受信しているテレビジョン放送の放送画像（音声も含む）をもリアルタイムにストリーミング送信する。
加えて、記録再生機器２は、記録再生機器２に現実に挿入等されているＤＶＤ及びＣＤ等をリアルタイムに再生してストリーミング送信する。
【００２２】
記録再生機器２にはテレビジョン６が接続されている。
また、携帯電話機１には表示部８と操作部１１が配置されている。
【００２３】
ストリーミング送信とは、送信する側の機器である記録再生機器２が連続的に信号を発信して、これを受信する装置（デバイス）である携帯電話機１が受信するものである。
そして、ストリーミング送信の場合には通信帯域を最大限利用する為に、送信した信号が受信側に実際に誤り無く届いたかを確認せずに連続的に送信している。
そのため、送信途中で受信側がその信号を受信できなくても、そのことを発信側が知ることはできない。
そして、基地局５と無線通信する携帯電話機１においてはそのような事態はしばしば発生し得る。
【００２４】
この場合には、携帯電話機１と基地局５の通信環境が改善してユーザが再度その動画を視聴しようとした（レジューム再生）としても、記録再生機器２は、どこまで携帯電話機１が受信して再生したのかの情報を有していない。
その結果、記録再生機器２は動画データの最初から順に送信することしかできない。
このようになると、ユーザは中断した位置まで記録再生機器２が順次ストリーミング送信するまで待たなければならない。
そこで、本実施形態においては、携帯電話機１側にどこまでストリーミング送信を受信したのかを記憶しておいて、ストリーミング送信を再開する場合には、そのデータを記録再生機器２に送信することによって、中断した位置から記録再生機器２にストリーミング送信させる。
以下具体的な方法について記載する。
【００２５】
図２は、図１の携帯電話機１の信号処理系を示すブロック図である。
【００２６】
図２に示されるように、携帯電話機１は、通信部１３と、操作部１１と、音声入力部１０と、表示部８と、ストリーミング信号再生部３０、音声出力部３１、記憶部１２が制御部９によって制御されている。
【００２７】
通信部１３は、無線通信システムを捕捉し、通信ネットワークに接続される基地局５との間で無線通信を行い、各種データの送受信を行う。各種データとは、Ｗｅｂ上のダウンロードサイトのからダウンロードされるファイルのデータ、音声通話時の音声データ、メール送受信時のメールデータ、ウェブ閲覧時のウェブページデータ、等である。
本発明では、特に、記録再生機器２から送信される信号を、基地局５を介して受信する。
【００２８】
操作部１１は、操作キー等から入力されるユーザの指示を受け付ける。
操作部１１には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部９に出力する。
本発明においては、特に、中断したストリーミング送信されていた動画を、再度再生開始するというユーザによる入力を受け付ける。
【００２９】
音声入力部１０は、マイクロフォンにおいて入力される音声信号の入力処理を行う。
すなわち、音声入力部１０は、マイクロフォンから入力された音声を増幅し、アナログ／デジタル変換を行い、更に符号化等の信号処理を施し、デジタルの音声データに変換して制御部９に出力する。
【００３０】
音声出力部３０は、音声入力部１０は、制御部９から供給される音声データに復号化、デジタル／アナログ変換、増幅等の信号処理を施し、アナログの音声信号に変換してスピーカに出力する。
本発明においては、特に、ストリーミング送信される動画の音声を再生する。
【００３１】
表示部８は、例えばＬＣＤやＯＬＥＤ（Organic light-emitting diode（有機ＥＬ））を用いて構成されており、制御部９から供給される映像信号に応じた画像を表示する。
表示部８は、例えば、通信部１３による無線発信時における発信先の電話番号、着信時における発信元の電話番号、受信メールや送信メールの内容、日付、時刻、電池残量、発信成否、待ち受け画面等を表示する。
【００３２】
ストリーミング信号再生部３０は、ストリーミング信号を再生する。
本発明においては、ストリーミング送信されている動画を再生する。
【００３３】
記憶部１２では、携帯電話機１の各種処理に利用される各種データを記憶する。
記憶部１２は、例えば制御部９が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
本発明においては、特に、携帯電話機１が再生完了した部分を特定するためのデータである再生中断データ２１を記憶している。
また、記憶部１２ではストリーミング送信されてきた動画データを記憶する場合もある。
【００３４】
なお、記憶部１２は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３５】
制御部９は、携帯電話機１の全体的な動作を統括的に制御する。
すなわち、制御部９は、携帯電話機１の各種処理（回線交換網を介して行われる音声通話、電子メールの作成と送受信、インターネットのＷｅｂ上のダウンロードサイトの閲覧など）が操作部１１の操作に応じて適切な手順で実行されるように、上述した各ブロックの動作（通信部１３における信号の送受信、表示部８における画像の表示等）を制御する。
【００３６】
また、制御部９は、通信部１３に通信する電波の電波強度を算出する。
さらに、算出された電波強度に応じて、表示部８に表示している受信電波強度示を変化させる機能を有する。
本発明において、制御部９は、特にストリーミング送信を受けている場合に送信の中断があった場合に、再生中断データ２１を作成し、再開時に再生中断データ２１から再生開始時点データを作成する。
【００３７】
図３は、再生中断時に制御部９が作成して、記憶部１２に記憶させる内容の説明図である。
【００３８】
再生の中断があった場合には、制御部９は再生中断データ２１を作成する。そして、図３のような形式で再生中断データ２１は、記憶部１２に記憶される。
図３において、複数の再生中断データ２１が記載されているのは中断された再生データは複数存在する可能性があるからである。
【００３９】
再生中断データ２１は、再生ナンバーデータ２２、記録再生機器データ２３、コンテンツデータ２４、タイトルデータ２５、再生時間データ２６、サムネイルデータ２７及び電波強度データ２８を有している。
【００４０】
再生ナンバーデータ２２は、複数の再生中断データ２１が作成される場合があるので、それらを区別するために付与されている。
【００４１】
記録再生機器データ２３は、ネットワーク３に接続されている記録再生機器２のデータである。
具体的には、記録再生機器２のＩＰアドレス、ＭＡＣアドレス（Media Access Control address）である。このように、記録再生機器データ２３を有することから、携帯電話機１は、再生再開時に記録再生機器２を特定することができる。
また、記録再生機器データ２３を有することから、複数の記録再生機器２を有するユーザにおいて、どの記録再生機器２からのストリーミング送信が中断されたのかを特定することができる。
【００４２】
コンテンツデータ２４は、記録再生機器２がストリーミング送信しているデータが、ハードディスク（ＨＤＤ）に既に記憶しているデータなのか、それとも、リアルタイムでＤＶＤ、ＣＤ等の光ディスクをリアルタイムに読み込んで送信しているデータなのかを記憶している。
【００４３】
タイトルデータ２５は、複数の再生中断が行われていた場合に、ユーザが再生再開を行う操作をする場合に、これを表示部８に表示させて選択を容易にする。
【００４４】
再生時間データ２６は、再生の中断が動画の最初から何秒後の時点において行われているかのデータである。
再生開始時に、制御部９はこの再生中断データ２１をもとに再生開始時点データを作成し、再生開始時点データの信号を記録再生機器２に送信する。
なお、再生時間データ２６は動画の最初から何秒後の時点における時間情報に限定する趣旨ではなく、他のデータであってもよい。
例えば、動画全体を複個に分割して何フレーム目の何秒後という形式のデータであってもよい。
【００４５】
サムネイルデータ２７は、動画の一場面を静止画データである。もっとも、動画の一場面ではなく、特別に作成された静止画データであってもよい。
このサムネイルデータ２７は、複数の再生中断が行われていた場合に、ユーザが再生再開を行う操作をする場合に、これを表示部８に表示させて選択を容易にする。
【００４６】
電波強度データ２８は、ストリーミング再生の停止が行われた時点での電波強度情報である。
【００４７】
以上の構成をもつ携帯電話機１において、現実にストリーミング送信の中断及び再開が行われる場合の処理について以下説明する。
【００４８】
図４は、ストリーミング送信の中断が行われる場合の処理の説明図である。
【００４９】
ステップＳＴ０１において、ストリーミング受信が中断したかの判断がなされる。もし、中断がなされていなければ、このステップＳＴ０１の処理を繰り返す。
【００５０】
ステップＳＴ０２において、中断の原因が、ユーザが操作部１１を操作して中断処理を行ったものであるかを判断する。
そして、ユーザが自主的に中断を行った場合には、ステップＳＴ０６に処理を移行する。
一方、ユーザが自主的に中断を行っていない場合には、ステップＳＴ０３に処理を移行する。なぜなら、ユーザが自主的に中断を行ていない場合には、通信強度が低下したことが原因である場合が多く、その場合には、通信強度の低下は一時的である可能性があるからである。
なお、ユーザが自主的に中断を行った場合であるかの判断の方法は、ユーザの操作部１１への入力によって中断指令があったか否かによる方法がある。また、他の方法としては、中断がなされる寸前の電波強度によってなすこともできる。
【００５１】
ステップＳＴ０６において、図３で示した再生中断データ２１を制御部９は作成する。そして、作成された再生中断データ２１は記憶部１２に記憶される。
【００５２】
ステップＳＴ０３において、携帯電話機１は一定時間待機する。例えば数秒程度である。
ステップＳＴ０３における処理を行う理由は、以下の理由による。
ユーザによってストリーミング受信の中断が行われたわけではない場合には、その原因は電波強度が低下したことである場合が多い。
そして、電波強度の低下は一時的である場合も多い。例えば、一時的に建物の陰に入った場合などである。
このような場合には、すぐに電波強度が回復することが考えられるため、ユーザに再度、再生再開操作を行わせると、操作性が落ちてしまうからである。
【００５３】
ステップＳＴ０４において、携帯電話機１は再度のストリーミング受信を試みる。
【００５４】
そして、ステップＳＴ０５において、受信を再開できたか判断する。
そして、一定時間が経過しても受信を再開できなかったのであれば受信強度の低下は一時的ではなかったものと判断して、完全に中断するステップＳＴ０６の処理に移行する。
一方、通信が再開した場合には、通信を再開するステップＳＴ０７の処理に移行する。
【００５５】
ステップＳＴ０７において、携帯電話機１は通信を再開して、ストリーミング再生を継続する。
その後、ステップＳＴ０１の処理に移行する。
【００５６】
図５は、ストリーミング再生を再開する処理の説明図である。
【００５７】
ステップＳＴ１１において、ストリーミング再生が中断した理由が、電波強度が低下したことが原因であるかを判断する。
具体的には、再生中断データ２１の電波強度データ２８を参照して判断する。
そして、電波強度の低下が原因の場合には、ステップＳＴ１２の処理に移行する。
電波強度の低下が原因でない場合には、ステップＳＴ１５の処理に移行する。
【００５８】
ステップＳＴ１２において、電波強度を測定する。
そして、ステップＳＴ１３において、測定した電波強度がストリーミング再生を再開可能な強度であるか判定する。
そして、ストリーミング再生を再開可能な程度に電波強度が達している場合には、ステップＳＴ１４に移行する。
一方、ストリーミング再生を再開可能な程度に達していない場合には、ステップＳＴ１２に戻る。
【００５９】
ステップＳＴ１４において、通信を再開可能である旨の表示を表示部８等に表示してユーザに通知する。このように、通信再開可能となった旨の表示がなされることによって、ユーザは今すぐ再生を再開するか判断することが可能となる。
【００６０】
ステップＳＴ１５において、ユーザによる再生再開する旨の操作が行われたか判定する。
そして、ユーザによる再生再開する旨の操作がなされていない場合には、ステップＳＴ１１に戻る。
一方、ユーザによる再生再開する旨の操作がなされた場合には、ステップＳＴ１６の処理に移行する。
【００６１】
ステップＳＴ１６において、制御部９は再生中断データ２１中の再生時間データ２６、タイトルデータ２５及びコンテンツデータ２４を含んだ再生開始時点データを作成する。
【００６２】
そして、ステップＳＴ１７において、制御部９は通信部１３を通じて、作成した再生開始時点データの信号を記録再生機器２に送信する。
これを受けた、記録再生機器２は、再生開始時点データに含まれているコンテンツデータ２４から、ストリーミング送信を行う対象がＨＤＤに記憶されている動画データなのか、それともＤＶＤ等に記憶されている動画データなのかの判断を行う。
さらに、記録再生機器２は、再生開始時点データに含まれているタイトルデータ２５から、動画データの特定を行う。
加えて、記録再生機器２は、再生開始時点データに含まれている再生時間データ２６から、特定された動画データのどの部分からストリーミング送信を開始する位置を特定する。
最後に、記録再生機器２は、特定された動画データの特定された開始位置から、携帯電話機１に対してストリーミング送信を開始する。
【００６３】
ステップＳＴ１８において、携帯電話機１はストリーミング再生を再開する。
【００６４】
以上の様に構成することによって、ユーザは再生開始時において、特別な操作なく再生中断があった部分から再び視聴を開始することができる。
つまり、以上の様に構成することによって携帯電話機１の操作性が向上する。
さらに、図４のステップＳＴ０２〜ステップＳＴ０５の処理があることによって、通信強度が一時的に低下した場合であっても、ユーザは特別な操作を行わなくても視聴を継続することができる。
また、図５のステップＳＴ１１〜ステップＳＴ１４の処理があることによって、ストリーミング再生再開が可能となったことをユーザは容易に知ることができる。
【００６５】
図６は、本発明の変形例の説明図である。
【００６６】
図６は、基本的に図４と同じ処理であるが異なる点は、太枠で示したステップＳＴ０６が最初に処理されることである。
このように構成したことによって、再生中断するまで定期的に制御部９は再生中断データ２１を作成して、変更のあった部分を更新している。通常の場合においては更新されるのは再生時間データ２６である。
そして、中断があった場合には、当該更新はなされなくなり、自動的に、中断時の再生中断データ２１が作成される。
このように構成することによって、ストリーミング再生が中断された場合に制御部９は特別な処理を行わなくて済む。
つまり、通常ストリーミング再生時には、制御部９は再生中断データ２１に該当するデータを記憶部１２に記憶して利用しているのが通常であることから、再生の中断があった時にわざわざ再生中断データ２１を作成しなくて済むという利点がある。
【００６７】
以上の実施形態によれば、携帯電話機１は、再生データをストリーミング送信可能な記録再生機器２からのストリーミング信号を、基地局５を介して受信する通信部１３と、通信部１３を制御する制御部９と、記憶部１２と、ストリーミング信号を再生する表示部８と、を有している。
また、ストリーミング信号の再生が再生途中で中断した場合には、制御部９は、ストリーミング信号の再生が中断した時間位置を示す再生中断データ２１を生成し、記憶部１２は、再生中断データ２１を記憶する。
そして、通信部１３が中断したストリーミング信号を受信した場合には、制御部９は、記憶部１２が記憶している再生中断データ２１に基づいて、ストリーミング信号の再生が完了していない部分から、再度ストリーミング信号の再生を行う。
このような構成によって、ユーザは再生再開時に特別の操作を行わなくても中断した位置から再生をさせることができ、操作性が向上する。
【００６８】
以上の実施形態によれば、携帯電話機１は、再生データをストリーミング送信可能な記録再生機器２からのストリーミング信号を、基地局５を介して受信する通信部１３を有している。
また、ストリーミング信号を再生している間は、再生中断データ２１を所定時間毎に生成する制御部９と、制御部９が作成した再生中断データ２１を記憶する記憶部１２と、ストリーミング信号を再生する表示部８と、を有している。
そして、通信部１３が中断したストリーミング信号を受信した場合には、制御部９は、記憶部１２が記憶している再生中断データ２１に基づいて、ストリーミング信号の再生が完了していない部分から、ストリーミング信号の再生の再開を行う。
このような構成によって、ユーザは再生再開時に特別の操作を行わなくても中断した位置から再生をさせることができ、操作性が向上する。
また、ストリーミング再生が中断された場合に制御部９は特別な処理を行わなくて済む。つまり、通常ストリーミング再生時には、制御部９は再生中断データ２１に該当するデータを記憶部１２に記憶して利用しているのが通常であることから、再生の中断があった時にわざわざ再生中断データ２１を作成しなくて済むという利点がある。
【００６９】
制御部９は、記憶部１２の再生中断データ２１に基づいて、再生を開始する時間位置情報である再生開始時点データを作成し、通信部１３は、再生開始時点データを、基地局５を介して記録再生機器２に送信する。
そして、通信部１３は、記録再生機器２が再生開始時点データに基づいてストリーミング信号の再生が完了しなかった部分から送信してくるストリーミング信号を受信し、制御部９は、受信したストリーミング信号を表示部８に再生する。
このように構成したことによって、ストリーミング再生の中断があった位置から、再度ストリーミング送受信をおこうことができる。
そして、そのことによって通信量の低減を図ることが可能となる。
【００７０】
再生中断データ２１には、ストリーミング信号の再生が完了している時点までの再生時間データ２６が含まれている。
このように構成したことによって、ストリーミング再生の中断があった位置を記憶しておき、再生の再開を行う時に中断があった位置から再生再開を行うことが可能となる。
【００７１】
再生中断データ２１には、ストリーミング信号の再生が中断した時点での電波強度データ２８が含まれている。
このような情報によって、ストリーミング再生が中断した理由が、ユーザの操作によるものなのか、それと電波強度の低下によるのかを判断することができる。
そして、電波強度の低下が原因である場合には、電波強度が回復したときに、ストリーミング再生が再度可能となった旨の通知をすることが可能となる。
【００７２】
以上の実施形態によれば、本発明の再生データ配信システムは、再生データをストリーミング送信可能な記録再生機器２と、記録再生機器２からのストリーミング信号を、基地局５を介して受信する通信部１３を含む携帯電話機１と、を有している。
また、携帯電話機１は、通信部１３を制御する制御部９と、記憶部１２と、ストリーミング信号を再生する表示部８と、を有している。
そして、ストリーミング信号の再生が再生途中で中断した場合には、制御部９は、ストリーミング信号の再生が中断した時間位置を含む再生中断データ２１を作成し、記憶部１２は、再生中断データ２１を記憶する。
加えて、通信部１３が中断したストリーミング信号を受信した場合には、制御部９は、記憶部１２が記憶している再生中断データ２１に基づいて、ストリーミング信号の再生が完了していない部分から、ストリーミング信号の再生の再開を行う。
このような構成によって、ユーザは再生再開時に特別の操作を行わなくても中断した位置から再生をさせることができ、操作性が向上する。
【００７３】
以上の実施形態によれば、本発明の再生データ配信システムは、再生データをストリーミング送信可能な記録再生機器２と、記録再生機器２からのストリーミング信号を、基地局５を介して受信する通信部１３を含む携帯電話機１と、を有している。
また、携帯電話機１は、再生データをストリーミング送信可能な記録再生機器２からのストリーミング信号を、基地局５を介して受信する通信部１３と、ストリーミング信号を再生している間は、再生中断データ２１を所定時間毎に作成する制御部９とを有している。
さらに、制御部９が作成した再生中断データ２１を記憶する記憶部１２と、ストリーミング信号を再生する表示部８と、を有している。
そして、通信部１３が中断したストリーミング信号を受信した場合には、制御部９は、記憶部１２が記憶している再生中断データ２１に基づいて、ストリーミング信号の再生が完了していない部分から、ストリーミング信号の再生の再開を行う。
このような構成によって、ユーザは再生再開時に特別の操作を行わなくても中断した位置から再生をさせることができ、操作性が向上する。
また、ストリーミング再生が中断された場合に制御部９は特別な処理を行わなくて済む。つまり、通常ストリーミング再生時には、制御部９は再生中断データ２１に該当するデータを記憶部１２に記憶して利用しているのが通常であることから、再生の中断があった時にわざわざ再生中断データ２１を作成しなくて済むという利点がある。
【００７４】
制御部９は、記憶部１２の再生中断データ２１に基づいて、再生を開始する時間位置情報である再生開始時点データを作成する。
また、通信部１３は、再生開始時点データを、基地局５を介して記録再生機器２に送信し、通信部１３は、記録再生機器２が再生開始時点データに基づいてストリーミング信号の再生が完了しなかった部分から送信してくるストリーミング信号を受信する。
そして、制御部９は、受信したストリーミング信号を表示部８に再生する。
このように構成したことによって、ストリーミング再生の中断があった位置から、再度ストリーミング送受信をおこなうことができる。
そして、そのことによって通信量の低減を図ることが可能となる。
【００７５】
再生中断データ２１には、ストリーミング信号の再生が完了している時点までの再生時間データ２６が含まれている。
このように構成したことによって、ストリーミング再生の中断があった位置を記憶しておき、再生の再開を行う時に中断があった位置から再生再開を行うことが可能となる。
【００７６】
再生中断データ２１には、ストリーミング信号の再生が中断した時点での電波強度データ２８が含まれている
このような情報によって、ストリーミング再生が中断した理由が、ユーザの操作によるものなのか、それと電波強度の低下によるのかを判断することができる。
そして、電波強度の低下が原因である場合には、電波強度が回復したときに、ストリーミング再生が再度可能となった旨の通知をすることが可能となる。
【００７７】
以上説明してきた実施態様においては、記録再生機器２からのストリーミング送信を受けて再生を行っていたのは携帯電話機１であったが、逆に、携帯電話機１からのストリーミング送信を受けて再生を行うのが記録再生機器２であってもよい。
また、再生再開を行うのが、再生の中断を受けた携帯電話機１である必要はなく、他の携帯電話機１によって再生再開を行うこともできる。
この場合には、再生中断データ２１を他の携帯電話機１に送信する必要がある。
さらに、再生再開を行うのは、記録再生機器２であってもよいし、他の有線再生機器４であってもよい。
【００７８】
なお、以上の実施態様において、動画データは本発明の再生データの一例である。
つまり、再生データには、動画データ、静止画データ、音楽データ等の各種データが含まれる。
また、表示部８は本発明の再生部の一例である。
【００７９】
本発明は、以上の実施態様に限定されず、種々の態様で実施されてよい。
【００８０】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００８１】
１…携帯電子機器（携帯電話機）、２…記録再生機器、３…ネットワーク、４…有線再生機器、５…基地局、６…ディスプレイ、８…表示部、９…制御部、１０…音声操作部、１１…操作部、１２…記憶部、１３…通信部、２１…再生中断データ、２２…再生ナンバーデータ、２３…記憶再生機データ、２４…コンテンツデータ、２５…タイトルデータ、２６…再生時間データ、２７…サムネイルデータ、２８…電波強度データ、３０…ストリーミング信号再生部、３１…音声出力部
【図１】
0005603031.tif 000002
【図２】
0005603031.tif 000003
【図３】
0005603031.tif 000004
【図４】
0005603031.tif 000005
【図５】
0005603031.tif 000006
【図６】
0005603031.tif 000007